(57)【要約】【課題】医師や保健婦等の専門職が対面で指導しなくても、疾病者等が生活習慣改善を長期間に渡り継続的に実施することができる生活習慣病指導システムを提供する。【解決手段】指導対象者の検査結果、問診回答、改善プログラムの実施状況等の入力データを指導対象者毎に入力する手段３０と、入力データを指導対象者毎に時系列で記憶する手段４０と、指導対象者の最新の入力データと過去の入力データとに基づいて、指導対象者に実際に提示する改善プログラムをマスタ記憶手段１０から抽出する手段５０と、抽出された改善プログラムを指導対象者に提示する手段７０を備えるように構成した。また、改善プログラムの提示条件が入力され、改善プログラムと関連付けて記憶され、この提示条件に合致した改善プログラムが抽出されるように構成した。【選択図】  図１
2004326328.tif 000002
【特許請求の範囲】
【請求項１】
生活習慣の改善内容を示す改善プログラムを提示して生活習慣病に関した指導をする生活習慣病指導システムにおいて、
指導対象者の検査結果、問診回答等の生活習慣病に関する入力データを指導対象者毎に入力するデータ入力手段と、
前記入力データを指導対象者毎に時系列で記憶する入力データ記憶手段と、
改善プログラムのマスタを記憶するマスタ記憶手段と、
前記指導対象者の最新の入力データと前記入力データ記憶手段に記憶された前記指導対象者の過去の入力データとに基づいて、前記指導対象者に実際に提示する改善プログラムを前記マスタ記憶手段から抽出する改善プログラム抽出手段と、
抽出された前記改善プログラムを前記指導対象者に提示する改善プログラム提示手段と、
を備えたことを特徴とする生活習慣病指導システム。
【請求項２】
生活習慣の改善内容を示す改善プログラムを提示して生活習慣病に関した指導をする生活習慣病指導システムにおいて、
指導対象者の前記改善プログラムの実施状況を指導対象者毎に入力するデータ入力手段と、
改善プログラムのマスタを記憶するマスタ記憶手段と、
前記データ入力手段に入力された前記改善プログラムの実施状況に基づいて、前記指導対象者に実際に提示する改善プログラムを前記マスタ記憶手段から抽出する改善プログラム抽出手段と、
抽出された前記改善プログラムを前記指導対象者に提示する改善プログラム提示手段と、
を備えたことを特徴とする生活習慣病指導システム。
【請求項３】
前記改善プログラムの提示条件を入力する提示条件入力手段を備え、
前記マスタ記憶手段は、前記提示条件を前記改善プログラムと関連付けて記憶し、
前記改善プログラム抽出手段は、前記提示条件に合致した前記改善プログラムを前記マスタ記憶手段から抽出するようにしたことを特徴とする請求項１又は２に記載の生活習慣病指導システム。
【発明の詳細な説明】
【０００１】
【発明の属する技術分野】
本発明は生活習慣病指導システムに係り、特に生活習慣病の疾病者及びその予備軍に対して生活習慣の改善プログラムを提示する生活習慣病指導システムに関する。
【０００２】
【従来の技術】
高血圧症、糖尿病、高脂血症等の生活習慣病は、遺伝的要素が疾病の要因になっている場合等を除き、日頃の生活習慣を改善することで、疾病の改善や予防が可能である。
【０００３】
ここで、生活習慣とは、食事、運動、休養、飲酒、喫煙等の項目に分類され、疾病者やその予備軍が日常的に行う活動のうち、生活習慣病の疾病要因となるものをいう。
【０００４】
尚、高血圧症、糖尿病、高脂血症等の生活習慣病は、その進行具合が低いほど、疾病者は痛み等の苦痛が少なく、また、日常生活に疾病が与える影響も少ない。また、生活習慣は、日常的な活動であり、このような日常的な活動を変更することは、疾病者等に多少の苦痛や不具合が生じる場合が多い。しかも、疾病の進行具合が低い状態であるほど生活習慣改善が生活習慣病に対して有効となるが、「現時点で特に困っていない」という意識とともに、「生活習慣を変えるのは大変」という意識が重く、結局、何も実施しない人が多い。疾病の進行具合が低い者の中にも、将来的に疾病が進行して発症する合併症等を恐れ、生活習慣の改善を試みる者もいるのだが、その大多数は、継続的に実施することができず、いわゆる三日坊主の状態になりやすい。
【０００５】
従来は、疾病者に対して検査や問診を行い、この検査結果や問診回答に応じて対処をするようになっていた（例えば特許文献１を参照）。
【０００６】
【特許文献１】
特開２００２−２９７７７２号公報
【０００７】
【発明が解決しようとする課題】
生活習慣改善は継続的に実施しなければ効果がないにも関わらず、従来のものは、一般に、指導内容が画一的となり、疾病者等の状況に見合った個別指導がされるわけではない。さらに、画一的な指導内容は飽きられてしまい、疾病者等が生活習慣改善を継続的に実施することができず、いわゆる三日坊主になってしまうという問題があった。
【０００８】
また、医師や保健婦等の専門職が対面で指導しなくても、適切な改善指導をいつでも提供することができる生活習慣病指導システムが求められている。
【０００９】
本発明はこのような事情に鑑みてなされたもので、医師や保健婦等の専門職が対面で指導しなくても、疾病者等が生活習慣改善を長期間に渡り継続的に実施することができる生活習慣病指導システムを提供することを目的とする。
【００１０】
【課題を解決するための手段】
前記目的を達成するために、請求項１に記載の発明は、生活習慣の改善内容を示す改善プログラムを提示して生活習慣病に関した指導をする生活習慣病指導システムにおいて、指導対象者の検査結果、問診回答等の生活習慣病に関する入力データを指導対象者毎に入力するデータ入力手段と、前記入力データを指導対象者毎に時系列で記憶する入力データ記憶手段と、改善プログラムのマスタを記憶するマスタ記憶手段と、前記指導対象者の最新の入力データと前記入力データ記憶手段に記憶された前記指導対象者の過去の入力データとに基づいて、前記指導対象者に実際に提示する改善プログラムを前記マスタ記憶手段から抽出する改善プログラム抽出手段と、抽出された前記改善プログラムを前記指導対象者に提示する改善プログラム提示手段と、を備えたことを特徴としている。
【００１１】
本発明によれば、医師や保健婦等の専門職が対面で指導しなくても、最新の入力データと過去の入力データとに基づいて、指導対象者毎の状況に見合った、画一的でない改善プログラムが指導対象者毎に提示されるので、疾病者等が生活習慣改善を長期間に渡り継続的に実施することができる。
【００１２】
また、前記目的を達成するために、請求項２に記載の発明は、生活習慣の改善内容を示す改善プログラムを提示して生活習慣病に関した指導をする生活習慣病指導システムにおいて、指導対象者の前記改善プログラムの実施状況を指導対象者毎に入力するデータ入力手段と、改善プログラムのマスタを記憶するマスタ記憶手段と、前記データ入力手段に入力された前記改善プログラムの実施状況に基づいて、前記指導対象者に実際に提示する改善プログラムを前記マスタ記憶手段から抽出する改善プログラム抽出手段と、抽出された前記改善プログラムを前記指導対象者に提示する改善プログラム提示手段と、を備えたことを特徴としている。
【００１３】
本発明によれば、医師や保健婦等の専門職が対面で指導しなくても、改善プログラムの実施状況に基づいて、指導対象者毎の状況に見合った、画一的でない改善プログラムが指導対象者毎に提示されるので、疾病者等が生活習慣改善を長期間に渡り継続的に実施することができる。
【００１４】
また、請求項３に記載の発明は、請求項１又は２に記載の発明において、前記改善プログラムの提示条件を入力する提示条件入力手段を備え、前記マスタ記憶手段は、前記提示条件を前記改善プログラムと関連付けて記憶し、前記改善プログラム抽出手段は、前記提示条件に合致した前記改善プログラムを前記マスタ記憶手段から抽出するようにした構成となっている。
【００１５】
この構成によって、医師や保健婦等の専門職が対面で指導しなくても、改善プログラムの提供者側で、検査結果や問診結果、プログラムの実施状況等の生活習慣病に関した入力データに対して提示条件を入力しておくことにより、この提示条件と指導対象者の状況とが照合され、指導対象者毎の状況に見合った、画一的でない改善プログラムが指導対象者毎に提示されることになる。提示条件は、最新の入力データと過去の入力データとに対する複合条件で、改善プログラムと関連付けて記憶される。また、提示条件は、検査結果や問診結果に対する条件に限らず、改善プログラムの実施状況に対する条件が、改善プログラムと関連付けて記憶される。
【００１６】
【発明の実施の形態】
以下添付図面に従って本発明に係る生活習慣病指導システムの好ましい実施の形態について詳説する。
【００１７】
図１は本発明に係る生活習慣病指導システムの一実施の形態を示す要部ブロック図である。
【００１８】
図１において、マスタ記憶手段１０は、ディスク等からなり、検査項目マスタ１１、問診項目マスタ１２、改善プログラムマスタ１３、及び提示条件マスタ１４を記憶する。
【００１９】
検査項目マスタ１１は、疾病者やその予備軍等の指導対象者に対する検査項目が登録されている。検査項目は、体格指数（ＢＭＩ：Ｂｏｄｙ  Ｍａｓｓ  Ｉｎｄｅｘ、即ち体重／身長２）、血圧（上、下）、血液一般（白血球数、赤血球数、血色素量、ヘマトクリット等）、肝機能（総蛋白、ＧＯＴ、ＧＰＴ、ＡＬ−Ｐ、γ−ＧＴＰ、ＬＤＨ、ＺＺＴ、総ビリルビン、ＨＢｓ抗原等）、血液脂質（総コレステロール、中性脂肪、ＨＤＬコレステロール等）、糖代謝（空腹時血糖、随時血糖、グリコヘモグロビン等）、膵機能（アミラーゼ等）、腎機能（尿素窒素、クレアチニン、尿酸等）、尿（尿蛋白、尿糖、ウロビリノーゲン、潜血等）、便（潜血等）、肺活量、心電図、Ｘ線、ＣＴスキャン、胃カメラ等がある。
【００２０】
問診項目マスタ１２は、疾病者やその予備軍等の指導対象者に対する問診項目が登録されたものである。問診項目は、現在の健康状態（通院中の病名、現在の症状等）、過去に患った疾病、遺伝情報（例えば「父方の祖父が高血圧」、「母親が糖尿病」等の回答を得る）、生活習慣（食事、喫煙、睡眠、運動、労働、余暇等の習慣）を含む。
【００２１】
改善プログラムマスタ１３は、疾病者やその予備軍等の指導対象者に提示する生活習慣の改善プログラムが登録されている。改善プログラムは、適量の塩分摂取、適量のカロリー摂取、適量のコレステロール摂取、間食の抑制、朝食を毎日とる、といった食事に関するものや、適度な運動、適度な睡眠時間、長時間労働の抑制、禁煙、アルコール摂取減量、ストレス解消等がある。これら改善プログラムは、様々な指導内容からなり、識別情報が付され、分類されて、改善プログラムマスタ１３に登録されている。
【００２２】
提示条件マスタ１４は、改善プログラムの提示条件が改善プログラムと関連付けされて登録されている。尚、改善プログラムの提示条件は、後述するように、検査項目マスタ１１に登録された各検査項目、問診項目マスタ１２に登録された各問診項目、指導対象者に提示した各改善プログラム等に対して、詳細に設定される。
【００２３】
マスタメンテナンス手段２０は、コンピュータ装置等からなり、検査項目、問診項目、改善プログラム、及び改善プログラムの提示条件を入力して、マスタ記憶手段１０に記憶された各マスタ１１、１２、１３、１４のメンテナンスを行うためのものである。尚、改善プログラムの提示条件は、最新の入力データと過去の入力データとに基づく複合条件を設定可能になっている。また、改善プログラムの提示条件は、検査結果や問診結果と改善プログラムの実施状況とに基づく複合条件を設定可能となっている。また、条件の追加、変更、削除が可能となっている。
【００２４】
データ入力手段３０は、コンピュータ装置等からなり、指導対象者の検査結果、問診回答、及び改善プログラムの実施状況を入力するためのものである。ここで、入力は、操作、音声入力、画像スキャン、データ入力等、どのような入力であってもよい。データ入力は、疾病者等の本人がデータ入力しなくても、例えば夫や妻等の本人以外の者が入力してもよい。検査機器から直接検査結果を入力するようになっていてもよい。また、図１では疾病者等の指導対象者側でデータ入力する場合を示したが、改善プログラムの提供者側でデータ入力するようにしてもよい。
【００２５】
入力データ記憶手段４０は、ディスク等からなり、データ入力手段３０によって入力された、指導対象者の検査結果、問診回答、及び改善プログラムの実施状況を、指導対象者毎に、時系列で、記憶する。具体的には、検査結果、問診回答、及び改善プログラムの実施状況を、指導対象者の識別情報と、日付（検査年月日、問診回答年月日、実施状況入力年月日）または回数と関連付けて記憶する。
【００２６】
改善プログラム抽出手段５０は、コンピュータ装置等からなり、指導対象者の最新の入力データ（検査結果、問診回答、改善プログラムの実施状況等）と入力データ記憶手段４０に記憶された指導対象者の過去の入力データ（検査結果、問診回答、改善プログラムの実施状況等）とに基づいて、指導対象者に実際に提示する改善プログラムを改善プログラムマスタ１３から抽出する。また、改善プログラム抽出手段５０は、提示条件マスタ１４に登録された提示条件に基づいて、改善プログラムを改善プログラムマスタ１３から抽出する。
【００２７】
改善プログラム保存手段６０は、ディスク等からなり、改善プログラム抽出手段５０によって抽出された改善プログラムを、指導対象者毎に保存する。具体的には、改善プログラムを、指導対象者の識別情報と関連付けて記憶する。
【００２８】
改善プログラム提示手段７０は、コンピュータ装置やプリンタ等からなり、指導対象者に改善プログラムを提示する。ここで、提示は、表示、音声出力、印刷、データ出力等、どのような提示であってもよい。
【００２９】
次に、上記構成の生活習慣病指導システムの動作について、図１を用いて説明する。
【００３０】
生活習慣改善プログラムの提供者側において、マスタメンテナンス手段２０から、疾病者等の検査項目、問診項目、及び改善プログラムが入力され、それぞれ、検査項目マスタ１１、問診項目マスタ１２、及び改善プログラムマスタ１３に登録される。
【００３１】
図２は、マスタメンテナンス手段２０に表示された、改善プログラムマスタ１３のメンテナンス画面の例を示す。図２において、名称２０１は、改善プログラムに付与する識別情報（例えば「塩分摂取量７ｇ」）を入力するフィールドである。分類２０２は、改善プログラムに付与する、食事、運動、休養、喫煙、飲酒、共通等の分類を入力するフィールドである。コメント２０３は、改善プログラムの本文を入力するフィールドである。さらに、本文を表示する際の文字フォント、文字サイズ、文字修飾等が指定可能になっている。リンク２０４は、改善プログラムに関連付けるインターネットのリンク先の有無、及びリンク先を入力するフィールドである。メール２０５は、指導対象者に送付する電子メールの有無、電子メールの本文、電子メールへの添付ファイルを入力するフィールドである。尚、改善プログラムのコメント２０３及びメール２０５には、固定文だけでなく、可変文も指定可能になっている。例えば、＃ＵｓｅｒＮａｍｅ＃とした場合、＃ＵｓｅｒＮａｍｅ＃が疾病者等の実際の氏名で置換される。
【００３２】
また、マスタメンテナンス手段２０から、改善プログラムの提示条件が入力され、提示条件マスタ１４に登録される。尚、改善プログラムの提示条件は、その提示条件に適合する改善プログラムに関連付けられて、提示条件マスタ１４に登録される。具体的には、改善プログラムに付与した識別情報により、提示条件と改善プログラムとを関連付ける。
【００３３】
図３乃至図６は、提示条件マスタ１４のメンテナンス画面の例を示す。図３において、分類２１１は、食事、運動、休養、喫煙、飲酒、共通等の改善プログラムの分類を選択するフィールドである。名称２１２は、改善プログラムの識別情報（例えば「塩分摂取量７ｇ」）を選択するフィールドである。ＡＮＤ／ＯＲ２１３は、複数の提示条件をＡＮＤ条件又はＯＲ条件でつなぐか否かを入力するフィールドである。区分２１４は、「検査」、「問診」、「改善プログラム実施状況」の区分を選択するフィールドである。項目２１５は、各区分での項目（例えば検査項目の「血圧（上）」）を選択するフィールドである。比較区分２１６は、「今回のデータ」、「前回以前のデータ」、「データ推移傾向」、「前回と今回の比較」の中から比較区分を選択するフィールドである。提示条件２１７は、各比較区分での詳細な提示条件を入力するフィールドである。
【００３４】
図３に示すように比較区分２１６で「今回のデータ」が選択された場合には、最新の入力データに基づいて、改善プログラムを提示するか否かが判定される。図３は、血圧（上）について、今回の値が１４０以上、を提示条件とした例を示している。
【００３５】
また、図４に示すように比較区分２１６で「前回以前のデータ」が選択された場合には、前回以前の入力データに基づいて、改善プログラムを提示するか否かが判定される。図４は、血圧（上）について、１回前（即ち前回）の値が１４０以上、を提示条件とした例を示している。
【００３６】
また、図５に示すように比較区分２１６で「データ推移傾向」が選択された場合には、今回までの入力データの推移傾向に基づいて、改善プログラムを提示するか否かが判定される。図５は、血圧（上）について、直近２回（即ち前回と前々回）で値が２０以上増加した、を提示条件とした例を示している。
【００３７】
また、図６に示すように比較区分２１６で「前回と今回の比較」が選択された場合には、前回の入力データと今回の入力データとに基づいて、改善プログラムを提示するか否かが判定される。図６は、血圧（上）について、今回の値が１４０以上であって、かつ、前回の値が１４０以上、を提示条件に設定した例を示している。
【００３８】
改善プログラムの提供者側で各マスタ１１、１２、１３、１４が準備された状態で、疾病者や予備軍等の指導対象者側で、データ入力手段３０から、疾病者等の検査結果、問診回答、及び改善プログラムの実施状況が入力され、指導対象者毎に入力データ記憶手段４０に、記憶される。
【００３９】
各データ（検査結果、問診回答、及び改善プログラムの実施状況）が入力されたとき、改善プログラム抽出手段５０は、指導対象者毎に、提示条件マスタ１４に記憶された提示条件に合致した改善プログラムを、改善プログラムマスタ１３から抽出する。
【００４０】
例えば、図３に示す提示条件と図４に示す提示条件のＡＮＤ条件が設定されていた場合には、今回の入力データが図３の提示条件に合致し、かつ、前回の入力データが図４の提示条件に合致したとき、即ち、今回も前回もともに血圧（上）の値が１４０以上であったとき、提示条件に関連付けされた改善プログラム（「塩分摂取量７ｇ」）が抽出される。
【００４１】
また、例えば、図３に示す提示条件と図５に示す提示条件のＡＮＤ条件が設定されていた場合には、今回の入力データが図３の提示条件に合致し、かつ、今回までの入力データの推移傾向が図５の提示条件に合致したとき、即ち、今回の血圧（上）の値が１４０以上であって直近２回で２０以上の上昇があったとき、提示条件に関連付けされた改善プログラム（「塩分摂取量７ｇ」）が抽出される。
【００４２】
また、例えば、図６に示す提示条件のみが設定されていた場合には、今回の入力データと前回の入力データとが図６の提示条件に合致したとき、即ち、今回も前回もともに血圧（上）の値が１４０以上であったとき、提示条件に関連付けされた改善プログラム（「塩分摂取量７ｇ」）が抽出される。
【００４３】
抽出された改善プログラムは、改善プログラム保存手段６０に、指導対象者毎に保存された後、改善プログラム提示手段７０を介して提示される。具体的には、改善プログラム保存手段６０が、改善プログラムを指導対象者の識別情報と関連付けて記憶し、改善プログラム提示手段７０から指導対象者の識別情報が入力されたとき、該当する識別情報に関連付けて保存されていた改善プログラムを提示する。図２に示す改善プログラムを登録した場合であれば、提示条件に合致したとき、「塩分摂取を控えてください。・・・」という本文が出力されるとともに、具体的な塩分摂取例が電子メールに添付される。
【００４４】
尚、図２乃至図６を用い、検査結果の「血圧（上）」のみに対する提示条件を例に説明したが、「血圧（上）」に限らず他の検査項目（体格指数、肝機能、血液脂質等）に対しても提示条件を設定可能になっている。また、食事に関する改善プログラムのみを提示した例を説明したが、運動、休養等に関する改善プログラムを複合提示可能になっている。
【００４５】
また、検査結果のみに対する提示条件を例に説明したが、問診回答や改善プログラム実施状況に対しても提示条件を設定可能になっている。例えば、検査結果に対して、血圧が基準値以上であることを提示条件に設定するとともに、問診回答に対して、「味噌汁を１日複数杯飲んでいる？＝はい」をＡＮＤで提示条件に設定し、血圧が基準値以上であって、かつ、「味噌汁を１日複数杯飲んでいる？＝はい」と回答した人にのみ、「味噌汁は１日１杯までにしましょう。」といった具体的な改善プログラムを提示する一方、血圧が基準値以上であっても、「味噌汁を１日複数杯飲んでいる？＝いいえ」と回答した人には、その人の食習慣に適した別の改善プログラムを提示する。また、例えば、検査結果に対して、肥満度を示す値が基準値以上であることを提示条件に設定するとともに、問診回答に対して、「間食をよく取る？＝はい」をＡＮＤで提示条件に設定し、肥満度を示す値が基準値以上であって、かつ、「間食をよく取る？＝はい」と回答した人にのみ、「間食は控えましょう。」といった具体的な改善プログラムを提示する一方、肥満度を示す値が基準値以上であっても、「間食をよく取る？＝いいえ」と回答した人には、その人の食習慣に適した別の改善プログラムを提示する。
【００４６】
さらに、肉は好きだが魚は嫌いという指導対象者に対して、たとえコレステロールに関する値が基準範囲外であったとしても、いきなり肉料理を禁止するようなことはせず、指導対象者の嗜好を考慮した「肉は脂身を除いて食べましょう。」等の提示をするように条件設定可能となっている。
【００４７】
また、たとえ一時的に改善プログラムを実施しなかった人がいたとしても、従来のように、画一的な改善プログラムや、その人を責めるかのようなコメントが提示されてしまうと、やる気をなくしてしまうことになる。本システムは、今回の改善プログラムの実施状況のみでなく、過去の改善プログラムの実施状況にも基づいて、適当な改善プログラムが提示されるようになっている。以下に例を示す。
（初回）
検査結果：（今回）血圧（上）１４６、血圧（下）８５
問診回答：「塩辛いものは好きですか？＝はい」
合致した提示条件：（今回）血圧（上）＞＝１４０  ＡＮＤ  （問診回答）「塩辛いものは好きですか？＝はい」
提示プログラム：「塩辛いものを控えましょう。」
（２回目）
検査結果：血圧（上）１３５、血圧（下）８８
実施状況：「塩辛いものを控えていますか？＝はい」
合致した提示条件：（実施状況）「塩辛いものを控えていますか？＝はい」  ＡＮＤ  （今回）血圧（上）＜１４０  ＡＮＤ  （前回）血圧（上）＞＝１４０
提示プログラム：「血圧が正常範囲になりました。高血圧は生活習慣病です。生活習慣が戻ればまたもとの状態に戻ってしまいます。引き続き塩分の摂取には気をつけて下さい。」
（３回目）
検査結果：血圧（上）１４５、血圧（下）８５
実施状況：「塩辛いものを控えていますか？＝いいえ」
合致した提示条件：（実施状況）「塩辛いものを控えていますか？＝いいえ」  ＡＮＤ  （今回）血圧（上）＞＝１４０  ＡＮＤ  （前回）血圧（上）＜１４０
提示プログラム：「血圧が正常範囲から外れてしまいました。またがんばって塩分の摂取を減らしてみてください。」
また、検査結果が基準範囲外であっても、提示した改善プログラムを継続して実施している人であれば、提示した改善プログラムがその人に適していなかったことも考えられる。例えば、遺伝要因が大きいにも関わらず、祖父母等の疾病歴を疾病者等が知らず、問診回答にその遺伝情報が入力されていなかった場合等がある。また、例えば、厳しい食事制限をしているにも関わらず、その食事制限が指導対象者の体質に合わない場合もある。これらのような場合、従来は、画一的な改善プログラムが提示され、本質的でない指導を与えてしまうことになっていた。また、将来効果が出るにも関わらず、すぐには効果が上がらない場合もある。このような場合、従来は、画一的な改善プログラムが提示され、指導対象者が自己嫌悪になって生活習慣の改善をストップしてしまうことになっていた。本システムは、改善プログラムの実施状況等について、今回の実施状況のみでなく過去の実施状況をも参照した提示条件を設定することが可能になっているので、適切な改善プログラムが提示される。
【００４８】
また、生活習慣の急激な変更は、指導者に苦痛を与える場合があるので、段階的に目標に達するように、改善プログラムを提示することが、好ましい。例えば、カロリー制限をする場合、所定量ずつ段階的に摂取カロリーを減量する改善プログラムを提示する。
【００４９】
以上説明した上記実施の形態に係る生活習慣病指導システムは、指導対象者の検査結果、問診回答等の生活習慣病に関する入力データを指導対象者毎に入力し、入力データを指導対象者毎に時系列で記憶し、指導対象者の最新の入力データと過去の入力データとに基づいて、指導対象者に実際に提示する改善プログラムをマスタ記憶手段１０から抽出し、抽出された改善プログラムを指導対象者に提示するようにしたので、医師や保健婦等の専門職が対面で指導しなくても、最新の入力データと過去の入力データとに基づいて、指導対象者毎の状況に見合った、画一的でない改善プログラムが指導対象者毎に提示されることになり、疾病者等が生活習慣改善を長期間に渡り継続的に実施することができる。
【００５０】
また、指導対象者の改善プログラムの実施状況を指導対象者毎に入力し、入力された改善プログラムの実施状況に基づいて、指導対象者に実際に提示する改善プログラムをマスタ記憶手段１０から抽出し、抽出された改善プログラムを指導対象者に提示するようにしたので、医師や保健婦等の専門職が対面で指導しなくても、改善プログラムの実施状況に基づいて、指導対象者毎の状況に見合った、画一的でない改善プログラムが、次回、指導対象者毎に提示されることになり、疾病者等が生活習慣改善を長期間に渡り継続的に実施することができる。
【００５１】
また、改善プログラムの提示条件を入力し、マスタ記憶手段１０が提示条件を改善プログラムと関連付けて記憶し、提示条件に合致した改善プログラムをマスタ記憶手段から抽出するようにしたので、医師や保健婦等の専門職が対面で指導しなくても、改善プログラムの提供者側で、検査結果や問診結果、プログラムの実施状況等の生活習慣病に関した入力データに対して、提示条件を入力しておくことにより、この提示条件と指導対象者の状況とが照合され、指導対象者毎の状況に見合った、画一的でない改善プログラムが指導対象者毎に提示されることになる。提示条件は、最新の入力データと過去の入力データとに基づく複合条件を設定可能に構成した。また、提示条件は、検査結果や問診結果に限らず、改善プログラムの実施状況にも基づく複合条件を設定可能に構成した。
【００５２】
【発明の効果】
以上説明したように本発明によれば、医師や保健婦等の専門職が対面で指導しなくても、疾病者等の状況に見合った、画一的でない改善プログラムを疾病者等に提示することができ、疾病者等が生活習慣改善を長期間に渡り継続的に実施することができる。
【図面の簡単な説明】
【図１】本発明に係る生活習慣病指導システムの一実施の形態を示す要部ブロック図
【図２】改善プログラムマスタのメンテナンス画面の例を示す図
【図３】提示条件マスタのメンテナンス画面の第１の例を示す図
【図４】提示条件マスタのメンテナンス画面の第２の例を示す図
【図５】提示条件マスタのメンテナンス画面の第３の例を示す図
【図６】提示条件マスタのメンテナンス画面の第４の例を示す図
【符号の説明】
１０…マスタ記憶手段、１１…検査項目マスタ、１２…問診項目マスタ、１３…改善プログラムマスタ、１４…提示条件マスタ、２０…マスタメンテナンス手段、３０…データ入力手段、４０…入力データ記憶手段、５０…改善プログラム抽出手段、６０…改善プログラム保存手段、７０…改善プログラム提示手段
【図１】
2004326328.tif 000003
【図２】
2004326328.tif 000004
【図３】
2004326328.tif 000005
【図４】
2004326328.tif 000006
【図５】
2004326328.tif 000007
【図６】
2004326328.tif 000008